【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
下記層構造を有してなる複合フィルム：
a)式(I)の化合物に基づく構造単位を有するフォトアドレス可能な有機ポリマーの記憶層：
【化１】
2009504430.tif 000001
［式中、
R１及びR２は、相互に独立に、水素原子又は非イオン性置換基を表す。
m及びnは、相互に独立に、０〜４の整数、好ましくは０〜２の整数を表す。
X１及びX２は、X１'-R３又はX２'-R４
（ここで、X１'及びX２'は、直接結合、-O-、-S-、-(N-R５)-、-C(R６R７)-、-(C=O)-、-(CO-O)-、-(CO-NR５)-、-(SO２)-、-(SO２-O)-、-(SO２-NR５)-、-(C=NR８)-、-(CNR８-NR５)- 又は -N=N-を表す。
R３、R４、R５及びR８は、相互に独立に、水素原子、C１〜C２０-アルキル基、C３〜C１０-シクロアルキル基、C２〜C２０-アルケニル基、C６〜C１０-アリール、C１〜C２０-アルキル-(C=O)-、C３〜C１０-シクロアルキル-(C=O)-、C２〜C２０-アルケニル-(C=O)-、C６〜C１０-アリール-(C=O)-、C１〜C２０-アルキル-(SO２)-、C３〜C１０-シクロアルキル-(SO２)-、C２〜C２０-アルケニル-(SO２)- 又は C６〜C１０-アリール-(SO２)-を表す。
R６及びR７は、相互に独立に、水素原子、ハロゲン原子、C１〜C２０-アルキル基、C１〜C２０-アルコキシ基、C３〜C１０-シクロアルキル基、C２〜C２０-アルケニル基又はC６〜C１０-アリール基を表す。
あるいは、X１'-R３ 及び X２'-R４は、水素原子、ハロゲン原子、シアノ基、ニトロ基、CF３又はCCl３を表す。）
を表す。］、
b)所望により、透明バリア層、
c)場合により、反射層、
d)場合により、接着層、
e)基材層。
【請求項２】
記憶層a)中のフォトアドレス可能な有機ポリマーは、式(II)の化合物に基づく構造単位を有する、請求項１に記載の複合フィルム：
【化２】
2009504430.tif 000002
［式中、
X２、R１、R２、m、n 及び X１' は、請求項１で与えられた意味を有する。
Rは、水素原子又はメチル基を表す。
Q１は、-O-、-S-、-(N-R５)-、-C(R６R７)-、-(C=O)-. -(CO-O)-、-(CO-NR５)-、-(SO２)-、-(SO２-O)-、-(SO２-NR５)-、-(C=NR８)-、-(CNR８-NR５)-、-(CH２)p-、p-又はm-C６H４-、若しくは、式：
【化３】
2009504430.tif 000003
で示される２価基を表す。
i は、０〜４の整数を表し、i が１より大きい場合、各Q１ は、異なる意味を有し得る。
T１は、-(CH２)p-（ここで、連鎖は、-O-、-NR９- 又は -OSiR１０２O- により中断されていてよい。）を表す。
S１は、直接結合、-O-、-S- 又は -NR９-を表す。
pは、２〜１２の整数、好ましくは、２〜８の整数、特に、２〜４の整数を表す。
R９は、水素原子、メチル基、エチル基又はプロピル基を表す。
R１０は、メチル基又はエチル基を表す。
R５ 〜 R８ は、請求項１で与えられ意味を有する。］。
【請求項３】
記憶層a)中のフォトアドレス可能な有機ポリマーは、式(II)の化合物に基づく構造単位を有する、請求項１に記載の複合フィルム：
【化４】
2009504430.tif 000004
［式中、
X１'は、-(CO-O)-、-(CO-NR５)- 又は -N=N-を表す。
Q１は、式：
【化５】
2009504430.tif 000005
を表す。
i は、１を表す。
S１は、-NR９-を表す。
他の基は、請求項２で与えられた意味を有する。］。
【請求項４】
I)１つ又はそれ以上の、透明、低複屈折性、非散乱性の無定形カバー層、
II)請求項１〜３のいずれかに記載の複合フィルム、
III)所望により、プラスチックフィルム、プラスチックの複合フィルム又はプラスチックの基材の少なくとも１つの形状である、プラスチックのキャリア
を含んでなる、光学的書き込み、恒久的記憶、光学的読み出し、光学的書換、及び記憶層中の情報の消し込み又は上書きに対する保護を確実にする、光学データ記憶媒体。
【請求項５】
A)フォトアドレス可能なポリマーを、溶媒に溶解し、
B)溶液を、基材、若しくは存在するなら透明バリア層又は反射層に適用し、
C)溶媒を蒸発させ、複合フィルムを乾燥する
請求項１〜３のいずれかに記載の複合フィルムの製造方法。
【請求項６】
i)透明トップ層を、請求項５に記載の方法により製造された複合フィルムの記憶層側に適用し、
ii)所望により、プラスチックのキャリアを、複合フィルムの他の側（基材側）に適用する
請求項４に記載の光学データ記憶媒体の製造方法。
【請求項７】
記憶カード、スマートカード、身分証明書、文書、記憶機能を有するラベル又は記憶機能を有するプラカードとしての、請求項４に記載の光学データ記憶媒体の使用。
【手続補正２】
【補正対象書類名】明細書
【補正対象項目名】０００２
【補正方法】変更
【補正の内容】
【０００２】
現在の技術水準に従って、記憶及び計算機機能を有する電子チップの形の情報記憶素子を含むチェックカードサイズのプラスチックのカードは、スマートカードと呼ばれている。電子チップの代表的な仕様は、８ビットマイクロプロセッサ；５MHzサイクルレート；４０〜６０キロバイトの記憶容量である。
【手続補正３】
【補正対象書類名】明細書
【補正対象項目名】００１５
【補正方法】変更
【補正の内容】
【００１５】
本発明は、
下記層構造を有してなる複合フィルム：
a)式(I)の化合物に基づく構造単位を有するフォトアドレス可能な有機ポリマーの記憶層：
【化１】
2009504430.tif 000006
［式中、
R１及びR２は、相互に独立に、水素原子又は非イオン性置換基を表す。
m及びnは、相互に独立に、０〜４の整数、好ましくは０〜２の整数を表す。
X１及びX２は、X１'-R３又はX２'-R４
（ここで、X１'及びX２'は、直接結合、-O-、-S-、-(N-R５)-、-C(R６R７)-、-(C=O)-、-(CO-O)-、-(CO-NR５)-、-(SO２)-、-(SO２-O)-、-(SO２-NR５)-、-(C=NR８)-、-(CNR８-NR５)- 又は -N=N-を表す。
R３、R４、R５及びR８は、相互に独立に、水素原子、C１〜C２０-アルキル基、C３〜C１０-シクロアルキル基、C２〜C２０-アルケニル基、C６〜C１０-アリール、C１〜C２０-アルキル-(C=O)-、C３〜C１０-シクロアルキル-(C=O)-、C２〜C２０-アルケニル-(C=O)-、C６〜C１０-アリール-(C=O)-、C１〜C２０-アルキル-(SO２)-、C３〜C１０-シクロアルキル-(SO２)-、C２〜C２０-アルケニル-(SO２)- 又は C６〜C１０-アリール-(SO２)-を表す。
R６及びR７は、相互に独立に、水素原子、ハロゲン原子、C１〜C２０-アルキル基、C１〜C２０-アルコキシ基、C３〜C１０-シクロアルキル基、C２〜C２０-アルケニル基又はC６〜C１０-アリール基を表す。
あるいは、X１'-R３ 及び X２'-R４は、水素原子、ハロゲン原子、シアノ基、ニトロ基、CF３又はCCl３を表す。）
を表す。］、
b)所望により、透明バリア層、
c)場合により、反射層、
d)場合により、接着層、
e)基材層
を提供する。